(57)【要約】【課題】トレイと分離した食器及び残滓を収容する残滓分離槽内の清掃作業及び食器コンベアの清掃作業を容易に行うことができるトレイバックシステムを提供する。【解決手段】トレイバックシステムは、トレイと分離した食器を受け取り、受け取った食器から残滓を粗落としする残滓分離槽と、この残滓分離槽内の食器を外部へ搬送する食器コンベアユニットとを備え、食器コンベアユニットは、残滓分離槽内の食器を掬い上げる側の端を自由端とし、食器が排出される食器排出側の端を固定端とし、この固定端に設けられた食器コンベアを駆動する駆動軸を軸として自由端が回動できるように構成されている。【選択図】図１
2017153848.tif 000002
【特許請求の範囲】
【請求項１】
トレイと分離した食器を受け取り、該受け取った食器から残滓を粗落としする残滓分離槽と、
前記残滓分離槽内の食器を外部へ搬送する食器コンベアユニットとを備え、
前記食器コンベアユニットは、前記残滓分離槽内の食器を掬い上げる側の端を自由端とし、前記食器が排出される食器排出側の端を固定端とし、該固定端に設けられた食器コンベアを駆動する駆動軸を軸として前記自由端が回動できるように構成されていることを特徴とするトレイバックシステム。
【請求項２】
前記食器コンベアユニットの前記自由端が前記残滓分離槽内に位置する状態で前記食器コンベアユニットのフレームを着脱可能に支持するフレーム受けと、一端が前記フレームに回動可能に軸支され、他端が前記フレーム受けに嵌合可能に形成され、前記食器コンベアユニットの前記自由端が前記残滓分離槽の底部から上方に持ち上げられた状態で仮固定されるように前記フレームを支持する支持部材とをさらに備えていることを特徴とする請求項１に記載のトレイバックシステム。
【請求項３】
前記駆動軸は、前記食器コンベアを駆動するための一対の駆動軸受けと前記食器コンベアユニットを回動するための一対のリフト軸受けとに支持されるように構成されていることを特徴とする請求項１又は２に記載のトレイバックシステム。
【発明の詳細な説明】
【技術分野】
【０００１】
本発明は、トレイとこのトレイ上に載置されている食器とを分離してそれぞれ洗浄するトレイバックシステムに関する。
【背景技術】
【０００２】
大量の給食又は食事の提供を行うセルフサービスの食堂等においては、食事後の食器類がトレイに載せたまま返却される。トレイバックシステムは、このように返却されたトレイ及び食器をトレイと食器とに分離しそれぞれ別個に洗浄する。
【０００３】
特許文献１には、このようなトレイバックシステムにおいて、トレイを横に傾けることによってその上に載置されている食器を浸漬液槽内に自動的に放出するようにしたトレイ傾倒食器類放出装置が開示されている。このトレイ傾倒食器類放出装置においては、トレイ上に載せた皿やお椀などの食事済みの各種食器類をトレイを横に傾けることによって側方に放出するための傾倒放出装置と、これから放出された食器を浸漬処理するための食器下洗い浸漬装置が互いに隣接して一体に設置されている。食器下洗い浸漬装置には、傾倒放出装置において横倒ししたトレイから放出された食器類を落とし込むための水槽が設けられ、その水槽内には食器掬い上げコンベアがその下端部を槽内部のお湯中に漬けた状態で、食器浸漬装置の後方に向かって上り勾配をなして設置されている。また、傾倒放出装置と食器下洗い浸漬装置とは、筐体内に格納された状態で設置されている。
【先行技術文献】
【特許文献】
【０００４】
【特許文献１】特許第３５０４１６２号公報
【発明の概要】
【発明が解決しようとする課題】
【０００５】
特許文献１に記載されているトレイ傾倒食器類放出装置によると、食器掬い上げコンベアがその下端部が水槽内部に設置されているため、水槽内に残留している残滓を清掃する際に邪魔になり、作業が困難であるという問題点があった。また、コンベア自体の清掃も困難であるという問題点もあった。
【０００６】
そこで、本発明は、トレイと分離した食器及び残滓を収容する残滓分離槽内の清掃作業及び食器コンベアの清掃作業を容易に行うことができるトレイバックシステムを提供することを目的とする。
【課題を解決するための手段】
【０００７】
本発明によれば、トレイバックシステムは、トレイと分離した食器を受け取り、受け取った食器から残滓を粗落としする残滓分離槽と、この残滓分離槽内の食器を外部へ搬送する食器コンベアユニットとを備え、食器コンベアユニットは、残滓分離槽内の食器を掬い上げる側の端を自由端とし、食器が排出される食器排出側の端を固定端とし、この固定端に設けられた食器コンベアを駆動する駆動軸を軸として自由端が回動できるように構成されている。
【０００８】
食器コンベアユニットは、残滓分離槽内の食器を掬い上げる側の端を自由端とし、食器排出側の端を固定端とし、この固定端に設けられた食器コンベアを駆動する駆動軸を軸として自由端を回動することができる。これにより、残滓分離槽内に残留している残滓を清掃する際に、及び／又は食器コンベアを清掃する際に食器コンベアユニットを回動させ、食器コンベアユニットの自由端を残滓分離槽の底部から上方に持ち上げた状態に一時的に固定することが可能となり、残滓分離槽内の清掃作業及び食器コンベアの清掃作業を容易に行うことができ、メンテナンス性が向上する。なお、本明細書において、「残滓」とは、食べ滓、食べ残し（残飯、残汁）等の食器類に付着又は残留した、洗浄除去すべきごみ及びよごれを表している。
【０００９】
食器コンベアユニットの自由端が残滓分離槽の底部に位置する状態で食器コンベアユニットのフレームを着脱可能に支持するフレーム受けと、一端がフレームに回動可能に軸支され、他端がフレーム受けに嵌合可能に形成され、食器コンベアユニットの自由端が残滓分離槽の底部から上方に持ち上げられた状態で仮固定されるようにフレームを支持する支持部材とをさらに備えていることが好ましい。これにより、食器コンベアユニットの自由端が残滓分離槽の底部に位置する状態と底部から上方に持ち上げられた状態との２つの姿勢を確実に保持することができると共に、メンテナンス作業が容易にできる。
【００１０】
駆動軸は、食器コンベアを駆動するための一対の駆動軸受けと食器コンベアユニットを回動するための一対のリフト軸受けとに支持されるように構成されていることが好ましい。これにより、駆動軸を介して、食器を外部へ搬送する食器コンベアを駆動することができ、かつ食器コンベアユニットを回動させることができる。
【発明の効果】
【００１１】
本発明によれば、残滓分離槽に残留している残滓を清掃する際に、及び／又は食器コンベアを清掃する際に、食器コンベアユニットを回動させ、食器コンベアユニットの自由端を残滓分離槽の底部から上方に持ち上げられた状態に一時的に固定することが可能となり、残滓分離槽内の清掃作業及び食器コンベアの清掃作業を容易に行うことができ、メンテナンス性が向上する。
【図面の簡単な説明】
【００１２】
【図１】本発明の一実施形態におけるトレイバックシステムの構成を概略的に示す側面図である。
【図２】図１のトレイバックシステムの構成を概略的に示す斜視図である。
【図３】図１のトレイバックシステムにおける食器下洗い装置の清掃作業時の状態を概略的に示す側面図である。
【図４】図１のトレイバックシステムにおける食器下洗い装置の清掃作業時の状態を概略的に示す斜視図である。
【図５】図１のトレイバックシステムにおける食器下洗い装置の駆動軸部の構成を概略的に示す平面図である。
【発明を実施するための形態】
【００１３】
以下、図面を参照して、本発明に係るトレイバックシステムの実施形態を説明する。
【００１４】
トレイバックシステムは、大量の給食又は食事の提供を行うセルフサービスの食堂等において、トレイ上に食器を載せた状態で返却されたトレイ及び食器の分離及び洗浄を行うものであり、特に食器下洗い装置は分離された食器から残滓の多くを分離して下洗いを行うものである。
【００１５】
図１及び図２は本発明の一実施形態におけるトレイバックシステム１００の全体の構成を示しており、図１は食器コンベアユニット２０が食器搬送状態を示しており、図２は扉６１を外した状態を示している。図３及び図４はトレイバックシステム１００における食器下洗い装置の清掃作業時の状態を示しており、図３は扉６１が開いた状態を示しており、図４は扉６１を外した状態を示している。図５はトレイバックシステム１００における食器下洗い装置の駆動軸部の構成を概略的に示している。
【００１６】
トレイバックシステム１００は、送りコンベアＣにより搬送されてきたトレイＴ上に載せられている食器ＷをトレイＴと分離し、さらに食器Ｗから残滓の大部分を分離させ、その後、トレイＴ及び食器Ｗを本格的に洗浄するものである。図１〜図５には、このトレイバックシステム１００のうち、トレイＴの洗浄装置及び食器Ｗの浸漬洗浄装置を除く部分が示されている。これらの図に示すように、トレイバックシステム１００は、残滓の付いた食器Ｗを受け取る残滓分離槽１０と、食器コンベアユニット２０と、フレーム受け３０と、支持部材４０と、残滓受容器５０と、筐体６０を備えている。
【００１７】
残滓分離槽１０は、トレイＴと分離した食器Ｗを受け取り、この受け取った食器Ｗから残滓を粗落としするための水槽であり、内部に水が満たされている。残滓分離槽１０内の水の一部がポンプＰによって付勢されて噴出口Ｙからこの残滓分離槽１０に戻され、噴流となって循環することにより、食器Ｗの残滓が効率的に粗落としされる。この残滓分離槽１０は、例えば上面が長方形形状の開口を有しており、底面の一部が傾斜底面１１を構成している。残滓分離槽１０内には、その長手方向に伸長する食器コンベアユニット２０が設けられており、この食器コンベアユニット２０によって残滓分離槽１０内に収容されている食器Ｗが掬い上げられ、外部へ連続的に搬送される。なお、残滓分離槽１０には、食器Ｗを食器コンベアユニット２０側へ案内するための柔軟性を有する案内板１２が設けられている。
【００１８】
食器コンベアユニット２０は、残滓分離槽１０内の食器Ｗを掬い上げ、外部へ連続的に搬送するコンベアである。この食器コンベアユニット２０は、食器コンベア２１と、駆動軸２２と、従動軸２３と、フレーム２４とを備えている。食器コンベアユニット２０は、残滓分離槽１０内の食器Ｗを掬い上げる側の端を自由端２０ａとし、食器Ｗが排出される食器排出側の端を固定端２０ｂとすると、固定端２０ｂの近傍に食器コンベア２１を駆動する駆動軸２２が設けられ、かつ駆動軸２２を軸として自由端２０ａが回動できるように構成されている。食器コンベア２１には、食器Ｗをこのコンベア上に掬い上げるための複数の爪２１ａが所定間隔で設けられている。駆動軸２２は、図５に詳細に示すように、コンベア用の一対の駆動軸受け２２ａと食器コンベアユニット２０を回動するための一対のリフト軸受け２２ｂとによって支持されるように構成され、モータＭ（図１及び図３参照）によって駆動される。図１〜図４に示すように、フレーム２４には、位置固定されているフレーム受け３０に着脱自在に嵌合可能な凹部２５が設けられており、また、自由端２０ａには、引き上げ用ハンドル２６が設けられている。さらに、駆動軸２２の固定端２０ｂ側には、この自由端２０ａの引き上げ動作が容易となるように、固定端２０ｂを押し下げ方向に付勢するためのガススプリングＳが設けられている。
【００１９】
フレーム受け３０は、食器コンベアユニット２０の自由端２０ａが残滓分離槽１０内に位置する状態で食器コンベアユニット２０のフレーム２４を着脱可能に支持するものである。このフレーム受け３０は、両端が残滓分離槽１０の両側面の底面に近い位置に装着された棒状部材から構成されており、本実施形態においては、残滓分離槽１０の傾斜底面１１に近い位置に装着されている。
【００２０】
支持部材４０は、食器コンベアユニット２０の自由端２０ａが残滓分離槽１０の底面から上方に持ち上げられた状態に位置するようにフレーム２４を支持するための部材であり、その一端が軸４１を介してフレーム２４に回動可能に軸支されており、その他端にはフレーム受け３０に嵌合可能な凹部４２が形成されている。本実施形態において、支持部材４０は、食器コンベアユニット２０の食器コンベア２１を挟んだ両側にそれぞれ設けられ、その軸４１の回りを回動可能に構成されている。食器コンベアユニット２０の自由端２０ａが引き上げされた場合は、支持部材４０が自重により回動し、凹部４２を有する他端が自動的に垂下するように構成されている。また、凹部４２を構成する２つのアームのうち、垂下時の回動方向の前方となるアームの長さが後方のアームより短く構成されている。これにより、垂下時に後方のアームがフレーム受け３０に当たって、凹部４２がフレーム受け３０と自動的に嵌合する。
【００２１】
残滓受容器５０は、残滓分離槽１０の上方に設置された網目を有する収容籠であり、ポンプＰにより水と共に汲み上げられた残滓分離槽１０内の残滓を含む水をろ過し、残滓のみを分離して収容するものである。この残滓受容器５０は、定期的に交換、又は残滓を取り出すことができるように着脱可能に固定されている。
【００２２】
筐体６０は、残滓分離槽１０及び食器コンベアユニット２０を内部に収容する外装体である。筐体６０内の長さ方向（食器搬送方向）の片側（図１〜図４において奥側）には食器Ｗを載せたトレイＴを搬送するコンベアＣ及びトレイＴと食器Ｗとの分離装置が設置されており、他方の片側（図１〜図４において手前）には上述した残滓分離槽１０及び食器コンベアユニット２０等が設けられている。筐体６０の手前側の面には水平方向にスライド可能な扉６１が設けられ、上部には制御盤６２が配置されている。本実施形態において、扉６１は、残滓分離槽１０より上方の位置に設けられた４枚の引き違い上吊り式の引戸であり、上部枠に設けられたレール及び下部ガイド溝に沿ってスライドでき、かつ取り外すことができるように構成されている。この扉６１を設けることで、残滓分離槽１０及び／又は食器コンベア２１を清掃、メンテナスを行う際に、扉６１を開くことで、食器コンベアユニット２０を回動させる作業ができるようになる。また、残滓受容器５０の取り替え、又は残滓の取り出し作業も容易にできる。なお、引き違い上吊り式の引戸にすることで、従来の如く掛け外し式扉の場合に、外した扉を置いておく場所がない、掛け外し式扉の支柱があるため十分な開口が得られないという問題を解消することができる。
【００２３】
本実施形態において、残滓分離槽１０に残留している残滓を清掃する際に、又は食器コンベアを清掃する際に、筐体６０の扉６１を開き、引き上げ用ハンドル２６を使って食器コンベアユニット２０を上方へ引き上げることで、食器コンベアユニット２０が回動することになり、これにより、フレーム２４の支持部材４０がフレーム受け３０から離れ、支持部材４０が自重により回動し、凹部４２を有する側が垂下する。この凹部４２をフレーム受け３０に嵌合させることで、食器コンベアユニット２０の自由端２０ａが残滓分離槽１０の底部から上方に持ち上げられた状態で仮固定されることとなる。
【００２４】
このように本実施形態において、トレイバックシステム１００は、トレイＴと分離した食器Ｗを受け取り、受け取った食器Ｗから残滓を粗落としする残滓分離槽１０と、食器コンベアユニット２０と、フレーム受け３０と、支持部材４０と、残滓受容器５０と、筐体６０を備え、食器コンベアユニット２０は、残滓分離槽１０内の食器Ｗを掬い上げる側を自由端２０ａとし、食器Ｗが排出される食器排出側の端を固定端２０ｂとし、固定端２０ｂに設けられた食器コンベア２１を駆動する駆動軸２２を軸として自由端２０ａが回動できるように構成されている。
【００２５】
これにより、残滓分離槽１０内に残留している残滓を清掃する際に、及び／又は食器コンベア２１を清掃する際に、食器コンベアユニット２０を回動させ、食器コンベアユニット２０の自由端２０ａを残滓分離槽１０の底部から上方に持ち上げた状態に一時的に固定することが可能となり、残滓分離槽１０内の清掃作業及び食器コンベア２１の清掃作業を容易に行うことができ、メンテナンス性を向上させることができる。
【００２６】
また、食器コンベアユニット２０の自由端２０ａが残滓分離槽１０の底部に位置する状態で食器コンベアユニット２０のフレーム２４を着脱可能に支持するフレーム受け３０と、一端がフレーム２４に回動可能に軸支され、他端がフレーム受け３０に嵌合可能に形成され、食器コンベアユニット２０の自由端２０ａが残滓分離槽１０の底部から上方に持ち上げられた状態で仮固定されるようにフレーム２４を支持する支持部材４０とを備えていることで、食器コンベヤユニット２０の自由端２０ａが残滓分離槽１０の底部に位置する状態と底部から上方に持ち上げられた状態との２つの姿勢を確実に保持することができると共に、メンテナンス作業が容易にできる。
【００２７】
また、駆動軸２２は、食器コンベア２１を駆動するための一対の駆動軸受け２２ａと一対のリフト軸受け２２ｂとに支持されるように構成されていることで、駆動軸２２を介して、食器Ｗを外部へ搬送する食器コンベア２１を駆動することができ、かつ食器コンベアユニット２０を回動させることができる。
【００２８】
なお、上述した実施形態において、フレーム受け３０は、両端が残滓分離槽１０の両側面の底面に近い位置に装着された棒状部材から構成されている例を説明したが、本発明はこれに限定されるものではない。
【００２９】
また、上述した実施形態において、支持部材４０は、食器コンベアユニット２０の食器コンベア２１を挟んだ両側にそれぞれ設けられ、その軸４１の回りを回動可能に構成されている例を説明したが、本発明はこれに限定されるものではない。例えば、食器コンベアユニット２０の片方のみを設けても良い。
【００３０】
また、上述した実施形態においては、筐体６０に設けられた扉６１が上吊り式の引戸である例を説明したが、本発明はこれに限定されるものではない。
【００３１】
また、本発明は、上記の実施形態に限定されるものでなく、特許請求の範囲に記載された発明の要旨を逸脱しない範囲内での種々、設計変更した形態を技術的範囲に含まれるものである。
【産業上の利用可能性】
【００３２】
この発明は、社員食堂、学生食堂、病院など大量の調理を行う厨房で使用されるトレイバックシステムに利用できる。
【符号の説明】
【００３３】
１０  残滓分離槽
１１  傾斜底面
１２  案内板
２０  食器コンベアユニット
２０ａ  自由端
２０ｂ  固定端
２１  食器コンベア
２２  駆動軸
２２ａ  駆動軸受け
２２ｂ  リフト軸受け
２３  従動軸
２４  フレーム
２５、４２  凹部
２６  引き上げ用ハンドル
３０  フレーム受け
４０  支持部材
４１  軸
５０  残滓受容器
６０  筐体
６１  扉
６２  制御盤
１００  トレイバックシステム
Ｃ  送りコンベア
Ｍ  モータ
Ｐ  ポンプ
Ｓ  ガススプリング
Ｔ  トレイ
Ｗ  食器
Ｙ  噴出口
【図１】
2017153848.tif 000003
【図２】
2017153848.tif 000004
【図３】
2017153848.tif 000005
【図４】
2017153848.tif 000006
【図５】
2017153848.tif 000007